(57)【要約】【課題】本発明は、複数のバッテリセルの冷却を均一に行って安定性を大きく向上させたバッテリパック及びバッテリパック用冷却システムを提供する。【解決手段】本発明は、複数のバッテリセルと、第１冷媒循環管と、前記第１冷媒循環管と隣接した第２冷媒循環管と、を含み、前記第１冷媒循環管は、冷媒が第１循環経路に従って流れるように構成され、前記第２冷媒循環管は、前記冷媒が前記第１循環経路と反対である第２循環経路に従って流れるように構成され、前記第１冷媒循環管及び前記第２冷媒循環管のうち少なくとも一つが前記バッテリセルと熱的結合関係（ｉｎ  ｔｈｅｒｍａｌ  ｃｏ−ｏｐｅｒａｔｉｏｎ）にあることを特徴とするバッテリパック及びバッテリパック用冷却システムを開示する。【選択図】図２ａ
2011228301.tif 000002
【特許請求の範囲】
【請求項１】
複数のバッテリセルと、
第１冷媒循環管と、
前記第１冷媒循環管と隣接した第２冷媒循環管と、を含み、
前記第１冷媒循環管は、冷媒が第１循環経路に従って流れるように構成され、
前記第２冷媒循環管は、前記冷媒が前記第１循環経路と反対である第２循環経路に従って流れるように構成され、
前記第１冷媒循環管及び前記第２冷媒循環管のうち少なくとも一つが前記複数のバッテリセルと熱的結合関係にあることを特徴とするバッテリパック。
【請求項２】
前記第１冷媒循環管は、前記冷媒が前記第１循環経路に従って第１流れ方向に流れるように構成され、
前記第２冷媒循環管は、前記冷媒が前記第２循環経路に従って前記第１流れ方向と反対である第２流れ方向に流れるように構成されることを特徴とする請求項１に記載のバッテリパック。
【請求項３】
前記第１冷媒循環管は、前記第２冷媒循環管と熱的結合関係にあることを特徴とする請求項１に記載のバッテリパック。
【請求項４】
前記第１冷媒循環管は、前記複数のバッテリセルと前記第２冷媒循環管との間に位置することを特徴とする請求項３に記載のバッテリパック。
【請求項５】
前記第２冷媒循環管は、前記第１冷媒循環管と同じ形状を有することを特徴とする請求項４に記載のバッテリパック。
【請求項６】
前記第１冷媒循環管及び前記第２冷媒循環管のうち少なくとも一つが、冷却される前記複数のバッテリセルの表面に接触することを特徴とする請求項１に記載のバッテリパック。
【請求項７】
前記第１冷媒循環管の第１先端と連結される第１冷媒供給管と、
前記第２冷媒循環管の第２先端と連結される第２冷媒供給管と、
前記第１冷媒供給管と前記第２冷媒供給管に前記冷媒を供給するパンプシステムと、
前記第１冷媒循環管の第１先端と反対である第２先端に連結される第１冷媒排出管と、
前記第２冷媒循環管の第２先端と反対である第１先端に連結される第２冷媒排出管と、
前記第１冷媒排出管及び前記第２冷媒排出管と連結され、前記第１冷媒排出管及び前記第２冷媒排出管から流れてきた冷媒を冷却して貯蔵し、冷却された冷媒を前記パンプシステムに供給するように構成される放熱貯蔵システムと、を更に含むことを特徴とする請求項１に記載のバッテリパック。
【請求項８】
前記パンプシステムは、前記第１冷媒供給管及び前記第２冷媒供給管に連結される単一のパンプを含むことを特徴とする請求項７に記載のバッテリパック。
【請求項９】
前記放熱貯蔵システムは、前記第１冷媒排出管及び前記第２冷媒排出管と連結される単一の放熱貯蔵部を含むことを特徴とする請求項７に記載のバッテリパック。
【請求項１０】
前記パンプシステムは多数のパンプを含み、
前記多数のパンプのうち少なくとも一つは前記第１冷媒供給管と連結され、少なくとも他の一つは前記第２冷媒供給管と連結されることを特徴とする請求項７に記載のバッテリパック。
【請求項１１】
前記放熱貯蔵システムは多数の放熱貯蔵部を含み、
前記多数の放熱貯蔵部のうち少なくとも一つは前記第１冷媒排出管と連結され、少なくとも他の一つは前記第２冷媒排出管と連結されることを特徴とする請求項７に記載のバッテリパック。
【請求項１２】
前記パンプシステムと作動されるように結合される制御部を更に含み、
前記制御部は、前記複数のバッテリセルの温度を測定し、前記パンプシステムの動作を制御するように構成されることを特徴とする請求項７に記載のバッテリパック。
【請求項１３】
前記制御部は、前記複数のバッテリセルの温度が基準温度を超過すると、前記パンプシステムを活性化するように構成されることを特徴とする請求項１２に記載のバッテリパック。
【請求項１４】
前記パンプシステムと前記第１冷媒供給管及び前記第２冷媒供給管の間に連結される枝分かれ供給管を更に含むことを特徴とする請求項７に記載のバッテリパック。
【請求項１５】
前記第１冷媒排出管と前記第２冷媒排出管及び前記放熱貯蔵システムの間に連結される枝分かれ排出管を更に含むことを特徴とする請求項７に記載のバッテリパック。
【請求項１６】
前記第１冷媒循環管は、前記第２冷媒循環管と同じ幅を有することを特徴とする請求項１に記載のバッテリパック。
【請求項１７】
前記複数のバッテリセルは、前記第１冷媒循環管の幅と前記第２冷媒循環管の幅の合計と同じ幅を有することを特徴とする請求項１６に記載のバッテリパック。
【請求項１８】
前記第１冷媒循環管及び前記第２冷媒循環管それぞれは、平行部と、連結部と、を含み、
前記平行部それぞれは、バッテリセルの幅方向に沿って延長され、
前記連結部は、前記平行部の交差先端から前記平行部と連結されることを特徴とする請求項１に記載のバッテリパック。
【請求項１９】
前記連結部は、前記平行部の間に延長される一字型(直線状)の管であることを特徴とする請求項１８に記載のバッテリパック。
【請求項２０】
前記連結部は、前記平行部の間に延長される屈曲型の管であることを特徴とする請求項１８に記載のバッテリパック。
【請求項２１】
前記第１冷媒循環管は、前記第２冷媒循環管と同じ平面を成すことを特徴とする請求項１に記載のバッテリパック。
【請求項２２】
前記連結部は、前記平行部の間に延長される屈曲型の管であることを特徴とする請求項２１に記載のバッテリパック。
【請求項２３】
複数のバッテリセルを含むバッテリパック用冷却システムであって、
前記バッテリパック用冷却システムは、
第１冷媒循環管と、
前記第１冷媒循環管と隣接した第２冷媒循環管と、を含み、
前記第１冷媒循環管は、冷却される前記複数のバッテリセルの表面と接触し、冷媒が第１循環経路に従って第１流れ方向に流れるように構成され、
前記第２冷媒循環管は、前記第１冷媒循環管と結合して動作し、前記冷媒が第２循環経路に従って前記第１流れ方向と反対である第２流れ方向に流れるように構成されることを特徴とするバッテリパック用冷却システム。
【発明の詳細な説明】
【技術分野】
【０００１】
本発明は、バッテリパック及びバッテリパック用冷却システムに関するものである。
【背景技術】
【０００２】
一般的に、二次電池は充電が不可能な一次電池とは異なって充電及び放電が可能な電池である。このようは二次電池は、電気自動車や無停電電源装置などのように携帯用電子機器より大きい容量を要する場合、複数個のバッテリセルを電気的に接続し、バッテリパックの形で使用されている。
【発明の概要】
【発明が解決しようとする課題】
【０００３】
しかし、それぞれのバッテリセルは、充放電が重なると熱を発するようになる。このように発生した熱がバッテリパックの内部で冷却されないと、各バッテリセルの劣化をもたらすことになる。そして、各バッテリセルから発生した熱は、バッテリパックの全体的な性能の低下をもたらす、という問題があった。
【０００４】
そこで、本発明は、上記問題に鑑みてなされたものであり、本発明の目的とするところは、複数のバッテリセルの冷却を均一に行い、安全性を大きく向上することが可能な、新規かつ改良されたバッテリパック及びバッテリパック用冷却システムを提供することにある。
【課題を解決するための手段】
【０００５】
上記課題を解決するために、本発明のある観点によれば、複数のバッテリセルと、第１冷媒循環管と、前記第１冷媒循環管と隣接した第２冷媒循環管と、を含み、前記第１冷媒循環管は、冷媒が第１循環経路に従って流れるように構成され、前記第２冷媒循環管は、前記冷媒が前記第１循環経路と反対である第２循環経路に従って流れるように構成され、前記第１冷媒循環管及び前記第２冷媒循環管のうち少なくとも一つが前記複数のバッテリセルと熱的結合関係（ｉｎ  ｔｈｅｒｍａｌ  ｃｏ−ｏｐｅｒａｔｉｏｎ）にあることを特徴とするバッテリパックが提供される。
【０００６】
また、前記第１冷媒循環管は、前記冷媒が前記第１循環経路に従って第１流れ方向に流れるように構成され、前記第２冷媒循環管は、前記冷媒が前記第２循環経路に従って前記第１流れ方向と反対である第２流れ方向に流れるように構成されてもよい。
【０００７】
また、前記第１冷媒循環管は、前記第２冷媒循環管と熱的結合関係にあってもよい。
【０００８】
また、前記第１冷媒循環管は、前記複数のバッテリセルと前記第２冷媒循環管の間に位置してもよい。
【０００９】
また、前記第２冷媒循環管は、前記第１冷媒循環管と同じ形状を有してもよい。
【００１０】
また、前記第１冷媒循環管及び前記第２冷媒循環管のうち少なくとも一つが、冷却される前記複数のバッテリセルの表面に接触してもよい。
【００１１】
また、前記バッテリパックは、前記第１冷媒循環管の第１先端と連結される第１冷媒供給管と、前記第２冷媒循環管の第２先端と連結される第２冷媒供給管と、前記第１冷媒供給管と前記第２冷媒供給管に前記冷媒を供給するパンプシステムと、前記第１冷媒循環管の第１先端と反対である前記第２先端に連結される第１冷媒排出管と、前記第２冷媒循環管の第２先端と反対である第１先端に連結される第２冷媒排出管と、前記第１冷媒排出管及び前記第２冷媒排出管と連結され、前記第１冷媒排出管及び前記第２冷媒排出管から流れてきた冷媒を冷却して貯蔵し、冷却された冷媒を前記パンプシステムに供給するように構成された放熱貯蔵システムと、を更に含んでもよい。
【００１２】
また、前記パンプシステムは、前記第１冷媒供給管及び前記第２冷媒供給管に連結される単一のパンプを含んでもよい。
【００１３】
前記放熱貯蔵システムは、前記第１冷媒排出管及び前記第２冷媒排出管と連結される単一の放熱貯蔵部を含んでもよい。
【００１４】
また、前記パンプシステムは多数のパンプを含み、前記多数のパンプのうち少なくとも一つは前記第１冷媒供給管と連結され、少なくとも他の一つは前記第２冷媒供給管と連結されてもよい。
【００１５】
また、前記放熱システムは多数の放熱貯蔵部を含み、前記多数の放熱貯蔵部のうち少なくとも一つは前記第１冷媒排出管と連結され、少なくとも他の一つは前記第２冷媒排出管と連結されてもよい。
【００１６】
また、前記パンプシステムと作動するように結合される制御部を更に含み、前記制御部は、前記複数のバッテリセルの温度を測定して前記パンプシステムの動作を制御するように構成されてもよい。
【００１７】
また、前記制御部は、前記複数のバッテリセルの温度が基準温度を超過すると前記パンプシステムを活性化するように構成されてもよい。
【００１８】
また、前記バッテリパックは、前記パンプシステムと前記第１冷媒供給管及び前記第２冷媒供給管の間に連結される枝分かれ供給管を更に含んでもよい。
【００１９】
また、前記バッテリパックは、前記第１冷媒排出管と前記第２冷媒排出管及び前記放熱貯蔵システムの間に連結される枝分かれ供給管を更に含んでもよい。
【００２０】
また、前記第１冷媒循環管は、前記第２冷媒循環管と同じ幅を有するものであってもよい。
【００２１】
また、前記複数のバッテリセルは、前記第１冷媒循環管の幅と前記第２冷媒循環管の幅の合計と同じ幅を有してもよい。
【００２２】
また、前記第１冷媒循環管及び前記第２冷媒循環管それぞれは平行部と、連結部と、を含み、前記平行部それぞれはバッテリセルの幅方向に沿って延長され、前記連結部は前記平行部の交差先端で前記平行部と連結されてもよい。
【００２３】
また、前記連結部は、前記平行部の間に延長される一字型（直線状）の管であってもよい。
【００２４】
また、前記連結部は、前記平行部の間に延長される屈曲型の管であってもよい。
【００２５】
また、前記第１冷媒循環管は、前記第２冷媒循環管と同じ平面を成してもよい。
【００２６】
また、前記連結部は、前記平行部の間に延長される屈曲型の管であってもよい。
【００２７】
また、上記課題を解決するために、本発明の別の観点によれば、複数のバッテリセルを含むバッテリパック用冷却システムであって、前記バッテリパック用冷却システムは、第１冷媒循環管と、前記第１冷媒循環管と隣接した第２冷媒循環管と、を含み、前記第１冷媒循環管は冷却される前記複数のバッテリセルの表面と接触し、冷媒が第１循環経路に従って第１流れ方向に流れるように構成され、前記第２冷媒循環管は前記第１冷媒循環管と結合して動作し（ｃｏ−ｏｐｅｒａｔｅ）、前記冷媒が第２循環経路に従って前記第１流れ方向と反対である第２流れ方向に流れるように構成されることを特徴とする、バッテリパック用冷却システムが提供される。
【発明の効果】
【００２８】
本発明によれば、複数のバッテリセルの冷却を均一に行い、安全性を大きく向上することが可能となる。
【図面の簡単な説明】
【００２９】
【図１】本発明の一実施形態によるバッテリパックを示す斜視図である。
【図２ａ】図１のバッテリパックの冷媒供給装置及び冷媒の循環過程を説明するための概念例示図である。
【図２ｂ】図１のバッテリパックの冷媒供給装置及び冷媒の循環過程を説明するための更に他の概念例示図である。
【図３】、本発明の他の実施の形態によるバッテリパックの下部を示す斜視図である。
【図４】本発明の更に他の実施の形態によるバッテリパックの下部を示す斜視図である。
【図５】本発明の更に他の実施の形態によるバッテリパックを示す斜視図である。
【図６】本発明の更に他の実施の形態によるバッテリパックの下部を示す斜視図である。
【図７】は、本発明の更に他の実施の形態によるバッテリパックの下部を示す斜視図である。
【図８】本発明の更に他の実施の形態によるバッテリパックを示す斜視図である。
【図９】本発明の更に他の実施の形態によるバッテリパックを示す斜視図である。
【発明を実施するための形態】
【００３０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３１】
本発明の属する技術分野における通常の知識を有するものが容易に実施できるよう、本発明の好ましい実施の形態を図面を参照しながら詳細に説明すると以下のようである。
【００３２】
以下では、本発明の一実施形態によるバッテリパックの構成を説明する。図１は、本発明の一実施形態によるバッテリパックを示す斜視図である。図１を参照すると、本発明の一実施形態によるバッテリパック１００は、複数のバッテリセル１１０と、第１冷媒循環管１２１と、第２冷媒循環管１２２と、を含んで形成される。
【００３３】
バッテリセル１１０は、第１電極端子１１１と、第２電極端子１１２と、を含んで形成される。第１電極端子１１１と第２電極端子１１２は、バッテリセル１１０の上部に形成されてもよい。但し、ここで第１電極端子１１１と第２電極端子１１２の形成位置を限ることはない。第１電極端子１１１は正極又は負極であってもよい。そして、第２電極端子１１２は第１電極端子１１１と反対の極性を有する。複数のバッテリセル１１０は、一側から他側に配列されて形成される。複数のバッテリセル１１０は、一側の第１バッテリセル乃至他側の第６バッテリセル１１０ａ、１１０ｂ、１１０ｃ、１１０ｄ、１１０ｅ、１１０ｆで区分されている。但し、ここで複数のバッテリセル１１０の個数を限ることはない。バッテリセル１１０としては、充電及び放電が可能な二次電池（Ｓｅｃｏｎｄａｒｙ  ｂａｔｔｅｒｙ）が使用されてもよい。以下では、バッテリセル１１０の広い側面を遮る距離をバッテリセル１００の幅と称し、幅が広がっている方向を幅方向と称する。
【００３４】
第１冷媒循環管１２１は、複数のバッテリセル１１０の一側から他側に形成され、例えば、内部に中空が形成された管状であってもよい。第１冷媒循環管１２１は、複数のバッテリセル１１０の外周面に一面が隣接するか、熱的結合関係（ｉｎ  ｔｈｅｒｍａｌ  ｃｏ−ｏｐｅｒａｔｉｏｎ）にある。例えば、第１冷媒循環管１２１の一面（又は上面）が複数のバッテリセル１１０の下部面に接触して形成されてもよい。また、バッテリパック１１０の幅（Ｗ）、例えば、複数のバッテリセル１１０のうち一つの幅は、第１冷媒循環管１２１の幅（Ｗ）とほぼ同じく形成されてもよい。これによって、複数のバッテリセル１１０を充放電するとき発生する熱が効果的に冷却されるか消滅する。また、複数のバッテリセル１１０の幅が第１冷媒循環管１２１の幅（Ｗ）とほぼ同じく形成され、バッテリパック１１０内で複数のバッテリセル１１０の配列及び構造が安定的に形成されることができる。また、第１冷媒循環管１２１は、熱伝導性の良い材質、例えば、銅及びアルミニウムのうち少なくともいずれか一つを含んで形成されてもよい。第１冷媒循環管１２１は、内部の中空を介して冷媒が複数のバッテリセル１１０の一側から供給されるように形成される。例えば、第１冷媒循環管１２１は、第１バッテリセル１１０ａ側から冷媒が供給されるように、即ち、冷媒が第１循環経路に従って流れるように形成されてもよい。
【００３５】
第２冷媒循環管１２２は、複数のバッテリセル１１０の一側から他側に形成され、例えば、内部に中空が形成された管状であってもよい。第２冷媒循環管１２２は、第１冷媒循環管１２１の他面に隣接するか、熱的結合関係にある。例えば、第２冷媒循環管１２２の上面が第１冷媒循環管１２１の他面（又は下面）に接触して形成されてもいい。また、バッテリセル１１０の幅（Ｗ）及び第１冷媒循環管１２１の幅（Ｗ）と第２冷媒循環管１２２の幅（Ｗ）はほぼ同じく形成されてもよい。これによって、バッテリパック１００内でバッテリセル１１０、第１冷媒循環管１２１及び第２冷媒循環管１２２の構造が安定的に形成されてもよい。また、第２冷媒循環管１２２は、熱伝導性の良い銅及びアルミウムのうちいずれか一つを含んで形成されてもよい。第２冷媒循環管１２２は、内部の中空を介して冷媒が複数のバッテリセル１１０の他側から供給されるように形成される。例えば、第２冷媒循環管１２２は、第６バッテリセル１１０ｆ側から冷媒が供給されるように、即ち、冷媒が第１循環経路と反対である第２循環経路に従って流れるように形成されてもよい。第２冷媒循環管１２２は、冷媒が他側から供給されて第２冷媒循環管１２２に接触されるか、熱的結合関係にある第１冷媒循環管１２１の他側に温度が上昇した冷媒の温度を効果的に冷却させることができる。
【００３６】
第１冷媒循環管１２１の冷媒は、第１バッテリセル乃至第６バッテリセル１１０ａ、１１０ｂ、１１０ｃ、１１０ｄ、１１０ｅ、１１０ｆを通過しながら温度が上昇する。冷媒が複数のバッテリセル１１０の温度を吸収し、冷媒の温度が第１冷媒循環管１２１の一側と他側で異なるため、一側のバッテリセル１１０と他側のバッテリセル１１０の温度差が発生し得る。しかし、本発明の一実施形態によるバッテリパック１００は、第２冷媒循環管１２２が第１冷媒循環管１２１に接触するか、熱的結合関係にあるため、第１冷媒循環管１２１の他側の温度が上昇した冷媒の温度を下げることになる。従って、本発明の一実施形態によるバッテリパック１００は、複数のバッテリセル１１０の温度を均一に冷却させることができる。
【００３７】
以下では、本発明の一実施形態によるバッテリパックの冷媒供給装置及び冷媒の循環過程を説明する。
【００３８】
図２ａは、本発明の一実施形態によるバッテリパックの冷媒供給装置及び冷媒の循環過程を説明するための概念例示図であり、図２ｂは、一実施形態によるバッテリパックの冷媒供給装置及び冷媒の循環過程を説明するための更に他の概念例示図である。
【００３９】
図２ａを参照すると、本発明の一実施形態によるバッテリパック１００は、枝分かれ供給管１２０ａと、第１冷媒供給管１２０ｂと、第２冷媒供給管１２０ｃと、第１冷媒排出管１２０ｄと、第２冷媒排出管１２０ｅと、枝分かれ排出管１２０ｆと、放熱貯蔵システム１３０と、パンプシステム１４０と、制御部１５０と、を具備する冷媒供給装置を更に含んで形成されてもよい。
【００４０】
枝分かれ供給管１２０ａは、後述するパンプシステム１４０に連結され、冷媒が流入される通路の役割を果たす。
【００４１】
第１冷媒供給管１２０ｄは、例えば、内部に中空が含まれた管状であってもよい。そして、第１冷媒供給管１２０は、一端が枝分かれ供給管１２０ａに連結されて形成される。また、第１冷媒供給管１２０ｂは、他端が第１冷媒循環管１２１の一側と連結される。また、第１冷媒供給管１２０ｂは、枝分かれ供給管１２０ａから流入された冷媒を第１冷媒循環管１２１に流入させる通路の役割を果たす。
【００４２】
第２冷媒供給管１２０ｃは、例えば、内部に中空が含まれた管状であってもよい。そして、第２冷媒供給管１２０ｃは、一端が枝分かれ供給管１２０ａに連結されて形成される。また、第２冷媒供給管１２０ｃは、他端が第２冷媒循環管１２２の他側と連結される。また、第２冷媒供給管１２０ｃは、枝分かれ供給管１２０ａから流入された冷媒を第２冷媒循環管１２２に流入させる通路の役割を果たす。
【００４３】
第１冷媒排出管１２０ｄは、例えば、内部に中空が含まれた管状であってもよい。そして、第１冷媒排出管１２０ｄは、一端が第１冷媒循環管１２１の他側と連結される。第１冷媒排出管１２０ｄは、複数のバッテリセル１１０を冷却した後の第１冷媒循環管１２１の冷媒が排出される通路の役割を果たす。
【００４４】
第２冷媒排出管１２０ｅは、例えば、内部に中空が含まれた管状であってもよい。そして、第２冷媒排出管１２０ｅは、一端が第２冷媒循環管１２２の一側と連結される。第２冷媒排出管１２０ｅは、第２冷媒循環管１２２の冷媒が第１冷媒循環管１２１の冷媒を冷却してから排出される通路の役割を果たす。
【００４５】
枝分かれ排出管１２０ｆは、例えば、内部に中空が含まれた管状であってもよい。そして、枝分かれ排出管１２０ｆには、第１冷媒排出管１２０ｄの他端と第２冷媒排出管１２０ｅの他端が連結される。また、枝分かれ排出管１２０ｆは、第１冷媒排出管１２０ｄ及び第２冷媒排出管１２０ｅの冷媒を、後述する放熱貯蔵システム１３０に排出する通路の役割をする。
【００４６】
放熱貯蔵システム１３０は、枝分かれ排出管１２０ｆを介して流入された冷媒を冷却する。例えば、放熱貯蔵システム１３０は、放熱板などで形成されてもよい。そして、放熱貯蔵システム１３０は、冷却された冷媒を貯蔵する。
【００４７】
パンプシステム１４０は、放熱貯蔵部１３０で冷却及び貯蔵された冷媒を枝分かれ供給管１２０ａに流入させる。
【００４８】
制御部１５０は、複数のバッテリセル１１０の温度を測定し、放熱貯蔵部１３０及びパンプシステム１４０を制御する。例えば、設定された基準温度よりバッテリセル１１０の温度が高ければ、制御部１５０は放熱貯蔵システム１３０及びパンプシステム１４０を作動させる（即ち、制御部１５０が放熱貯蔵システム１３０及びパンプシステム１４０と共に作動するように結合する）。そして、制御部１５０は、設定された基準温度よりバッテリセル１１０の温度が低ければ、放熱貯蔵システム１３０及びパンプシステム１４０の動作を止めさせてもよい。ここで、設定された基準温度はバッテリパック１００の性能を減少させはじめる温度であり、例えば、大略６０℃であってもよい。そして、制御部１５０の動作によって冷媒の循環が継続的に行われることではなく、バッテリセル１１０の冷却が必要であるか要求されているときにのみ行われる。従って、制御部１５０は、バッテリパック１００の全体的な電力損失を減少させることができる。
【００４９】
一方、図２ａでは、冷媒供給装置が単一の放熱貯蔵部を含む放熱貯蔵システム１３０と単一のパンプを含むパンプシステム１４０を有すると示されているが、複数の放熱貯蔵部と複数のパンプを有してもよい。一例に、図２ｂに示したように、冷媒供給装置が二つの放熱貯蔵部を含む放熱貯蔵システム１３０、１３０’と、二つの放熱貯蔵システム１３０、１３０’と制御部１５０の間に連結される二つのパンプを含むパンプシステム１４０、１４０’と、を含んでもよい。ここで、第２冷媒循環管１２２に冷媒を供給するための第２冷媒供給管１２０ｃは、パンプシステム１４０’の中のパンプのうち一つに連結された枝分かれ供給管１２０ａ’に連結される。また、第２冷媒循環管１２２から冷媒が排出されるための第２冷媒排出管１２０ｅは、放熱貯蔵システム１３０’の放熱貯蔵部のうち一つに連結された枝分かれ排出管１２０ｆに連結される。図２ｂに示した冷媒供給装置は、二つのパンプシステム１４０、１４０’を利用して第１冷媒循環管１２１を介した冷媒の循環と第２冷媒循環管１２２を介した冷媒の循環を独立的に制御することで、単一のパンプを利用して、例えば、第１冷媒循環管１２１を介した冷媒の循環と第２冷媒循環管１２２を介した冷媒の循環を全て制御する場合に発生するパンプの無理を防止することができる。
【００５０】
以下では、本発明の他の実施の形態によるバッテリパックの構成を説明する。
【００５１】
図３は、本発明の他の実施の形態によるバッテリパックの下部を示す斜視図である。
【００５２】
図３を参照すると、本発明の他の実施の形態によるバッテリパック２００は、図１によるバッテリパック１００に比べ、第１冷媒循環管２２１及び第２冷媒循環管２２２の構造が異なるように形成される。従って、以下における本発明の他の実施の形態によるバッテリパックは２００は、第１冷媒循環管２２１及び第２冷媒循環管２２２を中心に説明する。また、図１によるバッテリパック１００と同じであるか類似した部分は、同じ図面符号及び用語を使用し、ここで詳細な説明は省略する。
【００５３】
第１冷媒循環管２２１は、複数のバッテリセル１１０の一側から他側に形成され、例えば、内部に中空が形成された管状であってもよい。第１冷媒循環管２２１は、一面が複数のバッテリセル１１０に隣接するか、熱的結合関係にある。例えば、第１冷媒循環管２２１の一面（又は上面）が複数のバッテリセル１１０の下部面に接触して形成されてもよい。そして、第１冷媒循環管２２１は、内部の中空を介して冷媒が複数のバッテリセル１１０の一側から供給されるように形成される。また、第１冷媒循環管２２１は、第１平行部２２１ａと、連結部２２１ｂと、第２平行部２２１ｃと、を含んで形成されてもよい。
【００５４】
第１平行部２２１ａの一面は、複数のバッテリセル１１０のうちすくなくとも一つのバッテリセル、例えば、第１バッテリセル１１０ａに隣接又は接触して形成される。そして、第１平行部２２１ａは、第１バッテリセル１１０ａの幅方向に沿って延長される。
【００５５】
連結部２２１ｂは、第１平行部２２１ａから複数のバッテリセル１１０の他側に切曲延長されて形成される。
【００５６】
第２平行部２２１ｃは、連結部２２１ｂから切曲延長されて形成される。第２平行部２２１ｃは、一面が第１バッテリセル１１０ａと隣接する第２バッテリセル１１０ｂに隣接するか、熱的結合関係にある。そして、第２平行部２２１ｃは、第２バッテリセル１１０ｂの幅方向に沿って延長される。
【００５７】
第１冷媒循環管２２１の第１平行部２２１ａ、連結部２２１ｂ及び第２平行部２２１ｃは、バッテリセル１１０の個数及びその大きさによって反復して形成されてもよい。即ち、連結部２２１ｂは、第１平行部２２１ａと第２平行部２２１ｃの交差先端に連結されてもよい。連結部２２１ｂは、第１平行部２２１ａと第２平行部２２１ｃの間に延長される一字型（直線状）の管であってもよい。
【００５８】
第２冷媒循環管２２２は、第１冷媒循環管２２１と同じ形状で形成されてもよい。第２冷媒循環管２２２は、第１冷媒循環管２２１の他面に隣接するか、熱的結合関係にある。例えば、第２冷媒循環管２２２は、第１冷媒循環管２２１の他面（又は仮面）に接触して形成されてもよい。第２冷媒循環管２２２は、内部の中空を介して複数のバッテリセル１１０の他側で冷媒が供給されるように形成されてもよい。また、第２冷媒循環管２２２は、第１冷媒循環管２２１の位置に対応されるように、第１冷媒循環管２２１の他面に平行に重なるように形成されてもよい。また、第２冷媒循環管２２２は、第１平行部２２２ａと、連結部２２２ｂと、第２平行部２２２ｃと、を含んで形成されてもよい。
【００５９】
第１平行部２２２ａは、一面が第１冷媒循環管２２１の第１平行部２２１ａの他面に隣接又は接触して形成される。そして、第１平行部２２２ａは、第１バッテリセル１１０ａの幅方向に延長される。
【００６０】
連結部２２２ｂは、第１平行部２２２ａから複数のバッテリセル１１０の他側に切曲延長されて形成される。そして、連結部２２２ｂは、第１冷媒循環管２２１の連結部２２１ｂに隣接又は接触して形成される。
【００６１】
第２平行部２２２ｃは、連結部２２２ｂから切曲延長されて形成される。第２平行部２２２ｃは、第１冷媒循環管２２１の第２平行部２２１ｃに隣接又は接触して形成される。そして、第２平行部２２２ｃは、第２バッテリセル１１０ｂの幅方向に沿って延長される。
【００６２】
第２冷媒循環管２２２の第１平行部２２２ａ、連結部２２２ｂ及び第２平行部２２２ｃは、バッテリセル１１０の個数及びその大きさによって反復して形成されてもよい。（即ち、連結部２２２ｂは、第１平行部２２２ａと第２平行部２２２ｃの交差先端に連結されてもよい）。連結部２２２ｂは、第１平行部２２２ａと第２平行部２２２ｃの間に延長される一字型（直線状）の管であってもよい。
【００６３】
以下では、本発明の更に他の実施の形態によるバッテリパックの構成を説明する。
【００６４】
図４は、本発明の更に他の実施の形態によるバッテリパックの下部を示す斜視図である。
【００６５】
図４を参照すると、本発明の更に他の実施の形態によるバッテリパック３００は、図１によるバッテリパック１００に比べ、第１冷媒循環管３２１及び第２第２冷媒循環管３２２の構造が異なるように形成される。従って、以下における本発明の更に他の実施の形態によるバッテリパック３００は、第１冷媒循環管３２１及び第２冷媒循環管３２２を中心に説明する。また、図１によるバッテリパック１００と同じであるか類似した部分は、同じ図面符号及び用号を使用し、ここで詳細な説明は省略する。
【００６６】
第１冷媒循環管３２１は、複数のバッテリセル１１０の一側から
他側に形成され、例えば、内部に中空が形成された管状であってもよい。第１冷媒循環管３２１は、一面が複数のバッテリセル１１０に隣接するか、熱的結合関係にある。例えば、第１冷媒循環管３２１の一面（又は上面）が複数のバッテリセル１１０の下部面に接触して形成されてもよい。そして、第１冷媒循環管３２１は、内部の中空を介して冷媒が複数のバッテリセル１１０の一側から供給されるように形成される。例えば、第１冷媒循環管３２１は、第１バッテリセル１１０ａ側から冷媒が供給されるように形成されてもよい。また、第１冷媒循環管３２１は、第１平行部３２１ａと、第２平行部３２１ｂと、連結部３２１ｃと、を含んで形成されてもよい。
【００６７】
第１平行部３２１ａは、一面がバッテリセル１１０のうち少なくとも一つのバッテリセル、例えば、第１バッテリセル１１０ａに隣接するか、熱的結合関係にある。そして、第１平行部３２１ａは、第１バッテリセル１１０ａの幅方向に沿って延長される。
【００６８】
第２平行部３２１ｂは、一面が第１バッテリセル１１０ａと隣接する第２バッテリセル１１０ｂに隣接又は接触して形成される。そして、第２平行部３２１ｂは、第２バッテリセル１１０ｂの幅方向に沿って延長される。
【００６９】
連結部３２１ｃは、第１平行部３２１ａと第２平行部３２１ｂを曲線の形状で繋げるように（即ち、屈曲型の管）形成される。連結部３２１ｃの曲線の形状は冷媒の流れを円滑にする。
【００７０】
第１冷媒循環管３２１の第１平行部３２１ａ、第２平行部３２１ｂ及び連結部３２１ｃは、バッテリセル１１０の個数及びその大きさによって反復してい形成されてもよい。即ち、連結部３２１ｃは、第１平行部３２１ａと第２平行部３２１ｂの交差先端に連結されてもよい。
【００７１】
第２冷媒循環管３２２は、第１冷媒循環管３２１と同じ形状で形成されてもよい。そして、第２冷媒循環管３２２は、第１冷媒循環管３２１の他面に隣接するか、熱的結合関係にある。例えば、第２冷媒循環管３２２は、第１冷媒循環管３２１の他面（又は下面）に隣接するか、熱的結合関係にある。第２冷媒循環管３２２は、内部の中空を介して複数のバッテリセル１１０の他側に冷媒が供給されるように形成されてもよい。また、第２冷媒循環管３２２は、第１冷媒循環管３２１の位置に対応されるよう、第１冷媒循環管３２１の他面に平行に重なるように形成されてもよい。また、第２冷媒循環管３２２は、第１平行部３２２ａと、第２平行部３２２ｂと、連結部３２２ｃと、を含んで形成されてもよい。
【００７２】
第１平行部３２２ａは、一面が第１冷媒循環管３２１の第１延長官３２１ａの他面に隣接するか、熱的結合関係にある。そして、第１平行部３２２ａは、第１バッテリセル１１０ａの幅方向に沿って延長される。
【００７３】
第２平行部３２２ｂは、一面が第１冷媒循環管３２１の第２平行部３２１ｂの他面と熱的結合関係にある。そして、第２平行部３２２ｂは、第２バッテリセル１１０ｂの幅方向に沿って延長される。
【００７４】
連結部３２２ｃは、第１平行部３２２ａと第２平行部３２２ｂを曲線の形状で繋げるように（即ち、屈曲型の管）形成される。連結部３２２ｃの曲線の形状は冷媒の流れを円滑にする。
【００７５】
第２冷媒循環管３２２の第１平行部３２２ａ、第２平行部３２２ｂ及び連結部３２２ｃは、バッテリセル１１０の個数及びその大きさによって反復して形成されてもよい。即ち、連結部３２２は、第１平行部３２２ａと第２平行部３２２ｂの交差先端に連結されてもよい。
【００７６】
以下では、本発明の更に他の実施の形態によるバッテリパックの構成を説明する。図５は、本発明の更に他の実施の形態によるバッテリパックを示す斜視図である。図５を参照すると、本発明の更に他の実施の形態によるバッテリパック４００は、図１によるバッテリパック１００に比べ、第１冷媒循環管４２１及び第２冷媒循環管４２２の構造が異なるように形成される。従って、以下における本発明の更に他の実施の形態によるバッテリパック４００は、第１冷媒循環管４２１及び第２冷媒循環管４２２を中心に説明する。また、図１によるバッテリパック１００と同じであるか類似した部分は、同じ図面符号及び用語を使用し、ここで詳細な説明は省略する。
【００７７】
第１冷媒循環管４２１は、複数のバッテリセル１１０の一側から他側に形成され、例えば、内部に中空が形成された管状であってもよい。第１冷媒循環管ん４２１は、複数のバッテリセル１１０の外周面に隣接するか、熱的結合関係にある。例えば、第１冷媒循環管４２１の上面が複数のバッテリセル１１０の下部面に接触して形成されてもよい。第１冷媒循環管４２１は、熱伝導性のよい銅及びアルミニウムのうち少なくともいずれか一つを含んで形成されてもよい。第１冷媒循環管４２１は、内部の中空を介して冷媒が複数のバッテリセル１１０の一側から供給されるように形成される。例えば、第１冷媒循環管４２１は、第１バッテリセル１１０ａ側から冷媒が供給されるように形成されてもよい。
【００７８】
第２冷媒循環管４２２は、複数のバッテリセル１１０の一側から他側に形成され、例えば、内部に中空が形成された管状であってもよい。第２冷媒循環管４２２は、複数のバッテリセル１１０の外周面及び第１冷媒循環管４２１に隣接するか、熱的結合関係にある。例えば、第２冷媒循環管４２２は、複数のバッテリセル１１０の下部面及び第１冷媒循環管４２１の側面に接触して形成されてもよい。第２冷媒循環管４２２は、熱伝送製のよい銅及びアルミニウムのうち少なくともいずれか一つを含んで形成されてもよい。第２冷媒循環管４２２は、内部の中空を介して冷媒が複数のバッテリセル１１０の他側から供給されるように形成される。例えば、第６バッテリセル１１０ｆ側から（即ち、第１冷媒循環管４２１と反対に）冷媒が供給されるように形成されてもよい。
【００７９】
第１冷媒循環管４２１の幅（Ｗ１）と第２冷媒循環管４２２の幅（Ｗ２）の合計は、バッテリセル１１０の幅（Ｗ）とほぼ同じであってもよい。これによって、バッテリセル１１０を充放電するとき発生する熱が第１冷媒循環管４２１及び第２冷媒循環管４２２を介して効果的に冷却されるか消滅する。上述したように、第１冷媒循環管４２１の幅（Ｗ１）と第２冷媒循環管４２２の幅（Ｗ２）の合計はバッテリセル１１０の幅（Ｗ）とほぼ同じく、バッテリセル１１０、第１冷媒循環管４２１及び第２冷媒循環管４２２の配列及び構造が安定的になる。
【００８０】
複数のバッテリセル１１０は、一側から冷媒が供給される第１冷媒循環管４２１と他側から供給される第２冷媒循環管４２２と接触するか熱的結合関係にあり、効率的で均衡的な冷却が行われる。
【００８１】
以下では、本発明の更に他の実施の形態によるバッテリパックの構成を説明する。図６は、本発明の更に他の実施の形態によるバッテリパックの下部を示す斜視図である。図６を参照すると、本発明の更に他の実施の形態によるバッテリパック５００は、図１によるバッテリパック１００に比べ、第１冷媒循環管５２１及び第２冷媒循環管５２２の構造が異なるように形成される。従って、以下における本発明の更に他の実施の形態によるバッテリパックは５００は、第１冷媒循環管５２１及び第２冷媒循環管５２２を中心に説明する。また、図１によるバッテリパック１００と同じであるか類似した部分は、同じ図面符号及び用号を使用し、ここで詳細な説明は省略する。
【００８２】
第１冷媒循環管５２１は、複数のバッテリセル１１０の一側から他側に形成され、例えば、内部に中空が形成された管状であってもよい。第１冷媒循環管５２１は、一面が複数のバッテリセル１１０に隣接するか、熱的結合関係にある。例えば、第１冷媒循環管５２１の上面が複数のバッテリセル１１０の下部面に接触して形成されてもよい。そして、第１冷媒循環管５２１は、内部の中空を介して冷媒が複数のバッテリセル１１０の一側から供給されるように形成される。例えば、第１バッテリセル１１０ａ側から冷媒が供給されるように形成されてもよい。また、第１冷媒循環管５２１は、第１平行部５２１ａと、連結部５２１ｂと、第２平行部５２１ｃと、を含んで形成されてもよい。
【００８３】
第１平行部５２１ａの一面は、複数のバッテリセル１１０のうち少なくとも一つのバッテリセル、例えば、第１バッテリセル１１０ａに隣接するか、熱的結合関係にある。そして、第１平行部５２１ａは、第１バッテリセル１１０ａの幅方向に沿って延長される。
【００８４】
連結部５２１ｂは、第１平行部５２１ａから複数のバッテリセル１１０の他側に切曲延長されて形成される。
【００８５】
第２平行部５２１ｃは、連結部５２１ｂから切曲延長されて形成される。第２平行部５２１ｃは、一面が第１バッテリセル１１０ａと隣接する第２バッテリセル１１０ｂに隣接するか、熱的結合関係にある。そして、第２平行部５２１ｃは、第２バッテリセル１１０ｂの幅方向に沿って延長される。
【００８６】
第１冷媒循環管５２１の第１平行部５２１ａ、連結部５２１ｂ及び第２平行部５２１ｃは、バッテリセル１１０の個数及びその大きさによって反復して形成されてもよい（即ち、連結部５２１ｂは、第１平行部５２１ａと第２平行部５２１ｃの交差先端に連結されてもよい）。連結部５２１ｂは、第１平行部５２１ａと第２平行部５２１ｃの間に延長される一字型（直線状）の管であってもよい。
【００８７】
第２冷媒循環管５２２は、複数のバッテリセル１１０の一側から他側に形成され、例えば、内部に中空が形成された管状であってもよい。第２冷媒循環管５２２は、複数のバッテリセル１１０及び第１冷媒循環管５２１に隣接するか、熱的結合関係にある。第２冷媒循環管５２２は、内部の中空を介して冷媒が複数のバッテリセル１１０の他側から供給されるように形成される。例えば、第２冷媒循環管５２２は、第６バッテリセル１１０ｆ側から冷媒が供給されるように形成されてもよい。また、第２冷媒循環管５２２は、第１平行部５２２ａと、連結部５２２ｂと、第２平行部５２２ｃと、を含んで形成されてもよい。
【００８８】
第１平行部５２２ａは、複数のバッテリセル１１０のうち第１バッテリセル１１０ａ及び第１平行部５２１ａに隣接するか、熱的結合関係にある。そして、第１平行部５２２ａは、第１バッテリセル１１０ａの幅方向に沿って延長される。
【００８９】
連結部５２２ｂは、第１平行部５２２ａから複数のバッテリセル１１０の他側に切曲延長されて形成される。そして、連結部５２２ｂは、連結部５２１ｂに隣接するか、熱的結合関係にある。
【００９０】
第２平行部５２２ｃは、連結部５２２ｂから切曲延長されて形成される。第２平行部５２２ｃは、第２平行部５２１ｃ及び第２バッテリセル１１０ｂに隣接するか、熱的結合関係にある。そして、第２平行部５２２ｃは、第２バッテリセル１１０ｂの幅方向に沿って延長される。
【００９１】
第２冷媒循環管５２２の第１平行部５２２ａ、連結部５２２ｂ及び第２平行部５２２ｃは、バッテリセル１１０の個数及びその大きさに沿って反復して形成されてもよい（即ち、連結部５２２ｂは、第１平行部５２２ｂと第２平行部５２２ｃの交差先端に連結されてもよい）。連結部５２２ｂは、第１平行部５２２ａと第２平行部５２２ｃの間に延長される一字型（直線状）の管であってもよい。
【００９２】
以下では、本発明の更に他の実施の形態によるバッテリパックの構成を説明する。
【００９３】
図７は、本発明の更に他の実施の形態によるバッテリパックの下部を示す斜視図である。
【００９４】
図７を参照すると、本発明の更に他の実施の形態によるバッテリパック６００は、図１によるバッテリパック１００に比べ、第１冷媒循環管６２１及び第２冷媒循環管６２２の構造が異なるように形成される。従って、以下における本発明の更に他の実施の形態によるバッテリパック６００は、第１冷媒循環管６２１及び第２冷媒循環管６２２を中心に説明する。また、図１によるバッテリパック１００と同じであるか類似した部分は、同じ図面符号及び用語を使用し、ここで詳細な説明は省略する。
【００９５】
第１冷媒循環管６２１は、複数のバッテリセル１１０の一側から他側に形成され、例えば、内部に中空が形成された管状であってもよい。第１冷媒循環管６２１は、一面が複数のバッテリセル１１０に隣接するか、熱的結合関係にある。例えば、第１冷媒循環管６２１の一面（又は上面）が複数のバッテリセル１１０の下部面に接触して形成されてもよい。そして、  第１冷媒循環管６２１は、内部の中空を介して冷媒が複数のバッテリセル１１０の一側から供給されるように形成される。例えば、第１冷媒循環管６２１は、第１バッテリセル１１０ａ側から冷媒が供給されるように形成されてもよい。また、第１冷媒循環管６２１は、第１平行部６２１ａと、第２平行部６２１ｂと、連結部６２１ｃと、を含んで形成されてもよい。
【００９６】
第１平行部６２１ａは、一面が複数のバッテリセル１１０のうち少なくとも一つのバッテリセル、例えば、第１バッテリセル１１０ａに隣接するか、熱的結合関係にある。そして、第１平行部６２１ａは、第１バッテリセル１１０ａの幅方向に沿って延長される。
【００９７】
第２平行部６２１ｂは、一面が第１バッテリセル１１０ａと隣接する第２バッテリセル１１０ｂに隣接するか、熱的結合関係にある。そして、第２平行部６２１ｂは、第２バッテリセル１１０ｂの幅方向に沿って延長される。
【００９８】
連結部６２１ｃは、第１平行部６２１ａと第２平行部６２１ｂを曲線の形状で繋げるように（即ち、屈曲型の管）形成される。連結部６２１ｃの曲線の形状は冷媒の流れを円滑にする。
【００９９】
第１冷媒循環管６２１の第１平行部６２１ａ、第２平行部６２１ｂ及び連結部６２１ｃは、バッテリセル１１０の個数及びその大きさによって反復して形成されてもよい。即ち、連結部６２１ｃは、第１平行部６２１ａと第２平行部６２１ｂの交差先端に連結されてもよい。
【０１００】
第２冷媒循環管６２２は、複数のバッテリセル１１０の一側から他側に形成され、例えば、内部に中空が形成された管状であってもよい。第２冷媒循環管６２２は、第１冷媒循環管６２１及び複数のバッテリセル１１０に隣接するか、熱的結合関係にある。例えば、第２冷媒循環管６２２は、第１冷媒循環管６２１の側面及び複数のバッテリセル１１０の下部面に接触して形成されてもよい。そして、第２冷媒循環管６２２は、内部の中空を介して冷媒が複数のバッテリセル１１０の他側から供給されるように形成されてもよい。例えば、第２冷媒循環管６２２は、第６バッテリセル１１０ｆ側から冷媒が供給されるように形成されてもよい。また、第２冷媒循環管６２２は、第１平行部６２２ａと、第２平行部６２２ｂと、連結部６２２ｃと、を含んで形成されてもよい。
【０１０１】
第１平行部６２２ａは、第１冷媒循環管６２１の第１平行部６２１ａ及び第１バッテリセル１１０ａに隣接するか、熱的結合関係にある。そして、第１平行部６２２ａは、第１バッテリセル１１０ａの幅方向に沿って延長される。
【０１０２】
第２平行部６２２ｂは、第１冷媒循環管６２１の第２平行部６２１ｂ及び第２バッテリセル１１０ｂに隣接するか、熱的結合関係にある。そして、第２平行部６２２ｂは、第２バッテリセル１１０ｂの幅方向に沿って延長される。
【０１０３】
連結部６２２ｃは、第１冷媒循環管６２１の連結部６２１ｃに隣接するか、熱的結合関係にある。連結部６２２ｃは、第１平行部６２２ａと第２平行部６２２ｂを曲線の形状で繋げるように（即ち、屈曲型の管）形成される。連結部６２２ｃの曲線の形状は冷媒の流れを円滑にする。
【０１０４】
第２冷媒循環管６２２の第１平行部６２２ａ、第２平行部６２２ｂ及び連結部６２２ｃは、バッテリセル１１０の個数及びその大きさによって反復して形成されてもよい。即ち、連結部６２２は、第１平行部６２２ａと第２平行部６２２ｂの交差先端に連結されてもよい。
【０１０５】
以下では、本発明の更に他の実施の形態によるバッテリパックの構成を説明する。図８は、本発明の更に他の実施の形態によるバッテリパックを示す斜視図である。図８を参照すると、本発明の更に他の実施の形態によるバッテリパックは７００は、図１によるバッテリパック１００に比べ、中間媒体７１０を更に具備するという点が異なっている。従って、以下における本発明の更に他の実施の形態によるバッテリパック７００では、中間媒体７１０を中心に説明する。また、図１によるバッテリパック１００と同じであるか類似した部分は、同じ図面符号及び用語を使用し、ここで詳細な説明は省略する。
【０１０６】
前記中間媒体７１０は、複数のバッテリセル１１０と第１冷媒循環管１２１の間に介在される。このような中間媒体７１０は、複数のバッテリセル１１０を充放電するとき発生する熱を一所に集中させず、均一にさせた状態で第１冷媒循環管１２１に伝達する役割を果たす。これによって、中間媒体７１０は、複数のバッテリセル１１０を充放電するとき発生する熱が効果的に除去されるか伝達される。前記中間媒体７１０は、約１００Ｗ／（ｍ＊Ｋ）より大きい熱伝導性を有する物質で形成されてもよい。前記中間媒体７１０は薄い板状で形成されてもよく、熱伝導性の高い金属物質、例えば、銅及びアルミニウムのうち少なくともいずれか一つを含んで形成されてもよい。
【０１０７】
一方、図８で前記中間媒体７１０が複数のバッテリセル１１０と第１冷媒循環管１２１の間に介在されると示したが、図５のように複数のバッテリセル１１０が第１冷媒循環管４２１と第２冷媒循環管４２２それぞれに接触するか熱的結合関係にある場合、複数のバッテリセル１１０と第１冷媒循環管４２１の間及び第２冷媒循環管４２２の間に介在されてもよい。
【０１０８】
以下では、本発明の更に他の実施の形態によるバッテリパックの構成を説明する。図９は、本発明の更に他の実施の形態によるバッテリパックを示す斜視図である。図９を参照すると、本発明の更に他の実施の形態によるバッテリパック８００は、図１によるバッテリパック１００に比べ、中間媒体８１０を更に具備するという点が異なっている。従って、以下における本発明の更に他の実施の形態によるバッテリパック８００では、中間媒体８１０を中心に説明する。また、図１によるバッテリパック１００と同じであるか類似した部分は、同じ図面符号及び用語を使用し、ここで詳細な説明は省略する。
【０１０９】
前記中間媒体は８１０は、第１冷媒循環管１２１と第２冷媒循環管１２２の間に介在される。このような中間媒体は８１０は、複数のバッテリセル１１０の熱によって熱くなった第１冷媒循環管１２１の冷媒の熱を一所に集中させず、均一にさせた状態で第２冷媒循環管１２２に伝達する役割を果たす。これによって、前記中間媒体８１０は、複数のバッテリセル１１０が充放電されるとき発生する熱が効果的に除去されるか伝達されるようにする。前記中間媒体８１０は、約１００Ｗ／（ｍ＊Ｋ）より大きい熱伝導性を有する物質で形成されてもよい。前記中間媒体８１０は、薄い板状で形勢されてもよく、熱伝導性の高い物質、例えば、銅及びアルミニウムのうち少なくともいずれか一つを含んで形成されてもよい。
【０１１０】
上述した実施の形態によると、冷媒循環管、バッテリセル及び中間媒体のうち少なくともいずれか一つは、冷媒循環管、バッテリセル及び中間媒体のうち少なくともいずれか一つが、例えば、熱的結合関係にあるように直接接触状態にあるか間接的接触状態にあるよう、何らかの構造の結合で配置されてもよい。
【０１１１】
上述した実施の形態は、バッテリセルから発生した熱を均一に冷却させ、バッテリパック全体の性能を充分に確保できるバッテリパック用冷却システムを提供する。
【０１１２】
上述した実施の形態は、複数のバッテリセルの冷却を均一にし、安全性を大きく向上させることができるバッテリパックを提供する。
【０１１３】
上述した実施の形態によるバッテリパック及びバッテリパック用冷却システムは、充放電が重なることによってバッテリセルから発生する熱を冷媒循環管を介して冷却することができる。また、両方向の冷媒循環管は、バッテリパック内の複数のバッテリセルの冷却を全体的に均一にし、バッテリパックの安定性及び寿命を増加させることができる。
【０１１４】
また、上述した実施の形態によるバッテリパック及びバッテリパック用冷却システムは、制御部の制御によって冷媒の循環を必要な場合にのみ行い、電力の損失を最小化することができる。
【０１１５】
これまで説明したように、本発明は上述した特定の好ましい実施の形態に限ることなく、特許請求の範囲で請求する本発明の要旨を逸脱することなく該当発明の属する技術分野における通常の知識を有するものであれば、誰でも多様に変形した実施が可能であるということは勿論であり、そのような変更は、特許請求の範囲に記載された範囲内にあるといえる。
【０１１６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１１７】
１００、２００、３００、４００、５００、６００、７００、８００：バッテリパック
１１０：バッテリセル
１２１、２２１、３２１、４２１、５２１、６２１：第１冷媒循環管
１２２、２２２、３２２、４２２、５２２、６２２：第２冷媒循環管
１３０：放熱貯蔵システム
１４０：パンプシステム
１５０：制御部
７１０、８１０：中間媒体
【図１】
2011228301.tif 000003
【図２ａ】
2011228301.tif 000004
【図２ｂ】
2011228301.tif 000005
【図３】
2011228301.tif 000006
【図４】
2011228301.tif 000007
【図５】
2011228301.tif 000008
【図６】
2011228301.tif 000009
【図７】
2011228301.tif 000010
【図８】
2011228301.tif 000011
【図９】
2011228301.tif 000012